(57)【要約】【課題】簡単な構造で防水性が確保される防水コネクタ及び防水コネクタ取付構造を提供する。【解決手段】防水コネクタ１が、ハウジング３と、抜け止め部材４と、単一の環状シール部材５とを含む。ハウジング３が、取付壁２００の第１面２０１と対向する対向面５１を有する対向壁部５０と、対向壁部５０から突出し、取付壁２００の挿通孔２０３に挿通される挿通部６０と、対向面５１から突出し取付壁２００の第１面２０１に当接可能な凸部８０とを含む。挿通部６０を抜け止めする抜け止め部材４の本体部４１とハウジング３の凸部８０との間に取付壁２００が挟まれる状態で、環状シール部材５が、対向壁部５０の対向面５１と第１面２０１との間で弾性的に圧縮される。【選択図】図４Ａ
2019128985.tif 000002
【特許請求の範囲】
【請求項１】
第１面と前記第１面の反対側の第２面とを有し前記第１面と前記第２面とを挿通する挿通孔が形成された取付壁の前記挿通孔を介して相手方コネクタと接続される防水コネクタであって、
前記相手方コネクタと電気的に接続されるコンタクトと、
前記第１面と対向する対向面を有し前記コンタクトを保持する対向壁部と、前記対向壁部から突出し前記挿通孔に挿通される挿通部と、前記対向壁部の前記対向面から前記第１面に当接可能に突出する凸部と、前記取付壁に対して前記対向壁部とは反対側で前記挿通部の外周面に設けられた被係合部と、を含むハウジングと、
前記第２面と対向し前記挿通部に周方向に回転可能に外嵌された環状の本体部と、前記本体部の内周面に設けられた係合部とを含む抜け止め部材であって、前記周方向の一方側のロック位置で前記係合部が前記挿通部の前記被係合部に係合することにより前記挿通孔から前記挿通部を抜け止めする抜け止め部材と、
前記抜け止め部材の前記本体部と前記ハウジングの前記凸部との間に前記取付壁が挟まれる状態で、前記対向壁部の前記対向面と前記第１面との間で弾性的に圧縮される単一の環状シール部材と、を備える防水コネクタ。
【請求項２】
請求項１に記載の防水コネクタにおいて、前記凸部は、前記挿通部を取り囲む環状凸部又は環状に配列された複数の凸部を含む、防水コネクタ。
【請求項３】
請求項１又は２に記載の防水コネクタにおいて、前記抜け止め部材が前記ロック位置からアンロック側へ回転されることを規制する緩み回転規制機構を備え、
前記緩み回転規制機構が、前記挿通部の前記外周面及び前記抜け止め部材の前記本体部の前記内周面の少なくとも一方に設けられ径方向に撓み可能なランスと、前記挿通部の前記外周面及び前記抜け止め部材の前記本体部の前記内周面の他方に設けられ、前記ランスが前記周方向に係止するランス係止部と、を含む防水コネクタ。
【請求項４】
請求項３に記載の防水コネクタにおいて、前記抜け止め部材が前記ロック位置から前記周方向の前記一方側へ回転されることを規制する締め込み過ぎ規制機構を備え、
前記締め込み過ぎ規制機構が、前記抜け止め部材に設けられた第１被規制部と、前記挿通部に設けられ前記第１被規制部と係合する第１規制部と、を含む、防水コネクタ。
【請求項５】
請求項４に記載の防水コネクタにおいて、前記被係合部が、前記ランスに対して前記周方向の前記一方側に隣接しており、
前記係合部が前記ランスと前記周方向に重なる状態で、前記抜け止め部材が前記周方向の他方側へ回転されることを規制することにより、前記抜け止め部材を前記周方向に位置決めする位置決め機構を備え、
前記位置決め機構が、前記抜け止め部材に設けられた第２被規制部と、前記挿通部に設けられ前記第２被規制部と係合する第２規制部と、を含む、防水コネクタ。
【請求項６】
請求項５に記載の防水コネクタにおいて、前記第１規制部及び前記第２規制部が前記挿通部に設けられた共通の平坦部で形成され、
前記第１被規制部及び前記第２被規制部が、前記本体部から突出する共通の突起部に配置されている、防水コネクタ。
【請求項７】
第１面及び前記第１面の反対側の第２面を挿通する挿通孔が形成された取付壁と、
前記取付壁の前記挿通孔を介して相手方コネクタと接続される請求項１〜６の何れか一項に記載の防水コネクタと、を備える防水コネクタ取付構造。
【発明の詳細な説明】
【技術分野】
【０００１】
本発明は、防水コネクタ及び防水コネクタ取付構造に関する。
【背景技術】
【０００２】
特許文献１に提案される防水コネクタ接続構造では、開口部を備えた取付壁の一方の面に対し、該開口部に挿通された状態で取り付けられる第１コネクタと、前記取付壁の他方の面側で支持される第２コネクタとが、前記取付壁の前記開口部を介して嵌合され接続される。
前記第１コネクタが、前記開口部内に嵌合される筒状のスペーサと、ハウジングとを備える。前記ハウジングが、前記取付壁の前記一方の面に対してボルトにより締結された支持部と、前記支持部から直交状に延設され、前記スペーサに挿通される筒状のハウジング本体とを含む。
【０００３】
特許文献１では、前記開口部の内周面と前記スペーサの外周面との間に介装された環状シール部材と、前記支持部と前記支持部と対向する前記スペーサの端面との間に介装された環状シール部材とを含む複数の環状シール部材によって、開口部と第１コネクタとの間が封止されている。
【先行技術文献】
【特許文献】
【０００４】
【特許文献１】特許第５８０１７０５号公報
【発明の概要】
【発明が解決しようとする課題】
【０００５】
しかしながら、複数の環状シール部材を用いたシール構造を採用しているため、構造が複雑になる。
本発明の目的は、簡単な構造で防水性が確保される防水コネクタ及び防水コネクタ取付構造を提供することである。
【課題を解決するための手段】
【０００６】
請求項１に記載の発明は、第１面（２０１）と前記第１面の反対側の第２面（２０２）とを有し前記第１面と前記第２面とを挿通する挿通孔（２０３）が形成された取付壁（２００）の前記挿通孔を介して相手方コネクタ（３００）と接続される防水コネクタ（１）であって、前記相手方コネクタと電気的に接続されるコンタクト（２）と、前記第１面と対向する対向面（５１）を有し前記コンタクトを保持する対向壁部（５０）と、前記対向壁部から突出し前記挿通孔に挿通される挿通部（６０）と、前記対向壁部の前記対向面から前記第１面に当接可能に突出する凸部（８０）と、前記取付壁に対して前記対向壁部とは反対側で前記挿通部の外周面（６２ａ）に設けられた被係合部（９０）と、を含むハウジング（３）と、前記第２面と対向し前記挿通部に周方向（Ｙ）に回転可能に外嵌された環状の本体部（４１）と、前記本体部の内周面（４１ｄ）に設けられた係合部（４３）とを含む抜け止め部材（４）であって、前記周方向の一方側（Ｙ１）のロック位置で前記係合部が前記挿通部の前記被係合部に係合することにより前記挿通孔から前記挿通部を抜け止めする抜け止め部材と、前記抜け止め部材の前記本体部と前記ハウジングの前記凸部との間に前記取付壁が挟まれる状態で、前記対向壁部の前記対向面と前記第１面との間で弾性的に圧縮される単一の環状シール部材（５）と、を備える防水コネクタを提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、請求項１において、前記凸部は、前記挿通部を取り囲む環状凸部又は環状に配列された複数の凸部（８０）を含んでいてもよい。
【０００８】
請求項３に記載の発明のように、請求項１又は２において、前記抜け止め部材が前記ロック位置からアンロック側へ回転されることを規制する緩み回転規制機構（Ｑ）を備え、前記緩み回転規制機構が、前記挿通部の前記外周面及び前記抜け止め部材の前記本体部の前記内周面の少なくとも一方に設けられ径方向に撓み可能なランス（６４）と、前記挿通部の前記外周面及び前記抜け止め部材の前記本体部の前記内周面の他方に設けられ、前記ランスが前記周方向に係止するランス係止部（４４）と、を含んでいてもよい。
【０００９】
請求項４に記載の発明のように、請求項３において、前記抜け止め部材が前記ロック位置から前記周方向の前記一方側へ回転されることを規制する締め込み過ぎ規制機構（Ｒ）を備え、前記締め込み過ぎ規制機構が、前記抜け止め部材に設けられた第１被規制部（４６１）と、前記挿通部に設けられ前記第１被規制部と係合する第１規制部（Ｈ）と、を含んでいてもよい。
【００１０】
請求項５に記載の発明のように、請求項４に記載の防水コネクタにおいて、前記被係合部が、前記ランスに対して前記周方向の前記一方側に隣接しており、前記係合部が前記ランスと前記周方向に重なる状態で、前記抜け止め部材が前記周方向の他方側（Ｙ２）へ回転されることを規制することにより、前記抜け止め部材を前記周方向に位置決めする位置決め機構（Ｓ）を備え、前記位置決め機構が、前記抜け止め部材に設けられた第２被規制部（４６２）と、前記挿通部に設けられ前記第２被規制部と係合する第２規制部（Ｈ）と、を含んでいてもよい。
【００１１】
請求項６に記載の発明のように、請求項５において、前記第１規制部及び前記第２規制部が前記挿通部に設けられた共通の平坦部（Ｈ）で形成され、前記第１被規制部及び前記第２被規制部が、前記本体部から突出する共通の突起部（４６）に配置されていてもよい。
請求項７に記載の発明は、第１面及び前記第１面の反対側の第２面を挿通する挿通孔が形成された取付壁と、前記取付壁の前記挿通孔を介して相手方コネクタと接続される請求項１〜６の何れか一項に記載の防水コネクタと、を備える防水コネクタ取付構造（１０）を提供する。
【発明の効果】
【００１２】
請求項１に記載の発明では、取付壁の挿通孔に挿通されたハウジングの挿通部に対して抜け止め部材を周方向の一方側であるロック位置側へ回転させて、抜け止め部材の係合部を挿通部の被係合部に係合させ、挿通部を抜け止めする。取付壁が抜け止め部材の本体部とハウジングの対向壁部の凸部との間に挟まれる状態で、環状シール部材が、取付壁の第１面と対向壁部の対向面との間で弾性圧縮されて、前記第１面と前記対向面との間を封止する。このため、防水コネクタにおいて、単一の環状シール部材を用いる簡単な構造で防水性を確保することができる。
【００１３】
請求項２に記載の発明では、対向壁部の対向面から第１面側へ突出する凸部が、挿通部を取り囲む環状凸部又は環状に配置された複数の凸部で形成されるので、環状シール部材の圧縮量が、環状シール部材の周方向位置によって偏りを生ずることを抑制することができる。
請求項３に記載の発明では、ロック位置で挿通部の抜け止めを達成した状態の抜け止め部材がアンロック側へ回転されることが、ランスを含む緩み回転規制機構によって規制される。このため、防水性が確保された取付状態を確実に維持することができる。
【００１４】
請求項４に記載の発明では、緩み回転規制機構によってアンロック側への回転が規制された状態の抜け止め部材がロック位置を超えて締め込まれ過ぎることが、締め込み過ぎ規制機構によって規制される。このため、防水性が確保された取付状態が、確実に維持される。
請求項５に記載の発明では、組立時において、係合部がランスと周方向に重なる状態で、位置決め機構によって、抜け止め部材が周方向の他方側へ回転されることが規制される。このため、組立時に、係合部とランスとを周方向に位置合わせし易くなり、組立性が向上する。
【００１５】
請求項６に記載の発明では、部材の兼用によって構造を簡素化することができる。
請求項７に記載の発明では、単一の環状シール部材を用いる簡単な構造で防水性が確保される防水コネクタ取付構造を実現することができる。
【図面の簡単な説明】
【００１６】
【図１Ａ】図１Ａは、本発明の一実施形態に係る防水コネクタの分解斜視図である。
【図１Ｂ】図１Ｂは、防水コネクタを含むコネクタ取付構造の分解斜視図である。
【図２】防水コネクタの拡大分解斜視図である。
【図３】取付壁に取り付けられた防水コネクタの正面図である。
【図４Ａ】防水コネクタの断面図であり、図３のＩＶ−ＩＶ線に沿って切断された断面図である。
【図４Ｂ】図４Ａの一部を拡大した、防水コネクタの一部拡大断面図である。
【図５Ａ】ロック前の状態の防水コネクタの正面図である。
【図５Ｂ】ロック前の状態の防水コネクタの断面図である。
【図６Ａ】ロック後の状態の防水コネクタの正面図である。
【図６Ｂ】ロック後の状態の防水コネクタの断面図である。
【図７Ａ】ハウジングの平面図である。
【図７Ｂ】ハウジングの正面図である。
【図７Ｃ】ハウジングの左側面図である。
【図７Ｄ】ハウジングの右側面図である。
【図８Ａ】抜け止め部材の正面図である。
【図８Ｂ】抜け止め部材の側面図である。
【図８Ｃ】抜け止め部材の背面図である。
【図９Ａ】抜け止め機構及び緩み回転規制機構の模式図であり、抜け止め部材が第２嵌合部に嵌合される前の段階で抜け止め部材の係合部が、ハウジングのランスに対して周方向に位置合わせされた状態を示している。
【図９Ｂ】抜け止め機構及び緩み回転規制機構の模式図であり、アンロック位置の抜け止め部材の係合部が、ハウジングのランスの外面に係合された状態を示している。
【図９Ｃ】抜け止め機構及び緩み回転規制機構の模式図であり、ロック位置でハウジングの挿通部の抜け止めが達成され且つ抜け止め部材の緩み回転が規制された状態を示している。
【図１０Ａ】緩み回転規制機構の模式図であり、アンロック位置の抜け止め部材の係合部が、ハウジングのランスの外面に係合された状態を示している。
【図１０Ｂ】緩み回転規制機構の模式図であり、抜け止め部材がアンロック位置からロック位置側へ回転変位される途中の状態を示している。
【図１０Ｃ】緩み回転規制機構の模式図であり、ロック位置でランスによって抜け止め部材の緩み回転が規制された状態を示している。
【発明を実施するための形態】
【００１７】
以下、本発明を具体化した実施形態を図面に従って説明する。
図１Ａは、本発明の一実施形態に係る防水コネクタ１の分解斜視図であり、図１Ｂは、防水コネクタ１が適用された防水コネクタ取付構造１０の分解斜視図である。
防水コネクタ１は、取付壁２００に固定された状態で相手方コネクタ３００（図１Ｂに示される例えばプラグコネクタ）と接続される。図１Ａに示すように、取付壁２００は、第１面２０１と、第１面２０１の反対側の第２面２０２と、第１面２０１および第２面２０２を挿通する挿通孔２０３とを含む。挿通孔２０３は、例えば、四隅に湾曲コーナ部が設けられた略矩形に形成されている。防水コネクタ１は、取付壁２００の挿通孔２０３を介して相手方コネクタ３００とコネクタ接続方向Ｘ１に接続される。
【００１８】
防水コネクタ１は、複数のコンタクト２と、コンタクト２を収容保持する中空のハウジング３と、環状の抜け止め部材４と、単一の環状シール部材５とを備える。
図２は、防水コネクタ１の拡大分解斜視図である。図３は、取付壁２００に取り付けられた防水コネクタ１の正面図である。図４Ａは、防水コネクタ１の断面図であり、図３のＩＶ−ＩＶ線に沿って切断された断面図である。図４Ｂは、図４Ａの一部を拡大した、防水コネクタ１の一部拡大断面図である。図７Ａは、ハウジング３の平面図である。図７Ｂは、ハウジング３の正面図である。図７Ｃは、ハウジング３の左側面図である。図７Ｄは、ハウジング３の右側面図である。これらの図を参照して、ハウジング３について説明する。
【００１９】
図２に示すように、ハウジング３は、対向壁部５０と、挿通部６０と、保持筒部７０と、凸部８０と、被係合部９０と、係合部収容凹部１００とを含む。
図２、図４Ａ及び図７Ｃに示すように、対向壁部５０は、略矩形の板状に形成されている。対向壁部５０は、第１面２０１と対向する対向面５１を有している。凸部８０は、対向壁部５０の四隅において対向面５１から第１面２０１側に向けて突出しており、第１面２０１と当接可能である。
【００２０】
挿通部６０は、対向壁部５０から突出しており、取付壁２００の挿通孔２０３に挿通される。挿通部６０は、相手方コネクタ３００が挿入される挿入凹部６０Ｓを形成する中空の筒状に形成されている。挿通部６０は、対向壁部５０に近い側から、第１嵌合部６１と、第２嵌合部６２と、延設筒部６３とを含む。
図４Ａに示すように、第２嵌合部６２は、挿通孔２０３から突出し、抜け止め部材４と嵌合される。延設筒部６３は、第２嵌合部６２から突出し先端が開放された略矩形の筒状に形成されている。第２嵌合部６２に抜け止め部材４が嵌合された状態で、延設筒部６３は、抜け止め部材４を貫通して抜け止め部材４から突出する。
【００２１】
図２及び図７Ｃに示すように、略矩形の延設筒部６３は、互いに対向する一対の第１壁部６３１と、互いに対向する一対の第２壁部６３２とを含む。一対の第１壁部６３１の外面は、互いに平行な平坦部Ｈ（平坦部Ｈが、後述する締め込み過ぎ規制機構Ｒの第１規制部に相当し、後述する位置決め機構Ｓの第２規制部に相当する）を含む。一対の第２壁部６３２には、相手方コネクタ３００をロックするための機構等が配置されている。
【００２２】
図４Ａに示すように、第１嵌合部６１は、取付壁２００の挿通孔２０３に嵌合される。対向壁部５０の対向面５１からの第１嵌合部６１の突出高さが、対向面５１からの凸部８０の突出高さよりも所定量、大きくされている。
第１嵌合部６１の基端部側（対向壁部５０側）の半部における外周面６１ａに、環状シール部材５が嵌合されている。第１嵌合部６１の先端部側（第２嵌合部６２側）の半部が、取付壁２００の挿通孔２０３に嵌合される。図７Ｃに示すように、第１嵌合部６１の断面形状の外郭は、四隅に湾曲コーナ部が設けられた略矩形に形成され、取付壁２００の挿通孔２０３の形状と等しくされている。このため、挿通孔２０３に対する第１嵌合部６１の回転が規制される。
【００２３】
図４Ａに示すように、抜け止め部材４とハウジング３の凸部８０との間に取付壁２００が挟まれる状態で、環状シール部材５が、対向壁部５０の対向面５１と取付壁２００の第１面２０１との間で弾性的に圧縮される。対向壁部５０の対向面５１からの凸部８０の突出高さが、環状シール部材５の厚みよりも所定量小さくされており、環状シール部材５は、一定の弾性圧縮量で弾性圧縮される。
【００２４】
図７Ａ、図７Ｂ及び図７Ｄに示すように、保持筒部７０は、対向壁部５０から挿通部６０とは反対側に延びる例えば矩形断面の筒部である。保持筒部７０には、例えば弾性ゴム製の保持部材（図示せず）が内嵌固定されている。図２に示すように、各コンタクト２と接続された被覆電線７１が、保持筒部７０に設けられた貫通孔７２（図７Ｄを参照）に液密的に挿通されている。
【００２５】
図２及び図７Ｃに示すように、第２嵌合部６２の外周面６２ａは、円筒面の一部により形成されている。第２嵌合部６２の外周面６２ａには、周方向に等間隔を隔てて複数のランス６４が配置されている。ランス６４は、片持ち状の弾性片からなり、挿通部６０の径方向に弾性変形可能である。
具体的には、図７Ｃに示すように、ランス６４は、第２嵌合部６２に接続された基端部６４ａと、基端部６４ａから周方向Ｙの一方側Ｙ１へ延びる自由端である先端部６４ｂと、抜け止め部材４と径方向に対向する外面６４ｃとを含む。ランス６４は、基端部６４ａを支点として挿通部６０の径方向に揺動されるように弾性変形される。
【００２６】
図２並びに図７Ａ及び図７Ｂに示すように、被係合部９０と係合部収容凹部１００とは、第２嵌合部６２の外周面６２ａにおいて、各ランス６４の周方向Ｙの一方側Ｙ１に、隣接して配置されている。係合部収容凹部１００は、被係合部９０に対して第１嵌合部６１側（コネクタ接続方向Ｘ１の反対方向である抜脱方向Ｘ２側）に隣接して配置され、被係合部９０に対して径方向に窪む平坦部に形成されている。
【００２７】
図８Ａは、抜け止め部材４の正面図である。図８Ｂは、抜け止め部材４の側面図である。図８Ｃは、抜け止め部材４の背面図である。図２並びに図８Ａ、図８Ｂ及び図８Ｃを参照して、抜け止め部材４について説明する。
抜け止め部材４は、環状の本体部４１と、環状のフランジ部４２と、複数の係合部４３と、複数のランス係止部４４とを含む。ランス係止部４４は、係合部４３の一部により形成されている。
【００２８】
本体部４１は、軸方向の一端部４１ａと他端部４１ｂと、外周面４１ｃと、内周面４１ｄとを含む。抜け止め部材４の本体部４１の内周面４１ｄは、円筒面状に形成されている。抜け止め部材４の本体部４１の内周面４１ｄは、図５Ｂに示すように、ハウジング３の挿通部６０の第２嵌合部６２の円筒面状の外周面６２ａと嵌め合わされる。
図２及び図８Ｃに示すように、複数の係合部４３は、本体部４１の一端部４１ａにおける内周面４１ｄに、周方向Ｙに等間隔を隔てて設けられた突起である。係合部４３は、本体部４１の軸方向から見て略直角三角形状に形成されている。ランス係止部４４は、係合部４３の周方向Ｙの他方側Ｙ２の端部により形成され、ランス６４と係止される。ランス係止部４４は、周方向Ｙに対して略直交する平坦面である。
【００２９】
図２及び図８Ｂに示すように、本体部４１の外周面４１ｃには、軸方向に延びる多数の凸条４１ｅが、周方向に等間隔を隔てて配置されている。抜け止め部材４の外周面４１ｃを指で摘んで、抜け止め部材４を回転操作するときに、凸条４１ｅが指の滑り止めとなり、容易に抜け止め部材４を回転操作することができる。
図２及び図８Ｃに示すように、環状のフランジ部４２は、本体部４１の他端部４１ｂから径方向の内側へ延びる内向フランジ部である。フランジ部４２には、当該フランジ部４２を本体部４１の軸方向に貫通する複数のスリット４５が、周方向に等間隔を隔てて形成されている。
【００３０】
図８Ａに示すように、各スリット４５は、対応する係合部４３の少なくとも一部を本体部４１の軸方向から視認可能な周方向Ｙの位置に配置されている。各スリット４５は、周方向Ｙに延びる円弧状縁部４５ａと、周方向Ｙに対する接線方向に延びる直線状縁部４５ｂとで区画された三日月状に形成されている。
図２及び図８Ｃに示すように、フランジ部４２の内周面４２ａは、円筒面部４２ｂと、一対の突起部４６とを含む。アンロック状態を示す図５Ａ及びロック状態を示す図６Ａに示すように、各突起部４６は、ハウジング３の挿通部６０の延設筒部６３の対応する第１壁部６３１の外面の平坦部Ｈに対向している。各突起部４６は、直角三角形状に形成されており、第１被規制部４６１と、第２被規制部４６２とを含む。第１被規制部４６１は、前記直角三角形の直角に隣接する一方の片部により形成されている。第２被規制部４６２は、前記直角三角形の直角に対応する頂部により形成されている。
【００３１】
防水コネクタ１は、ハウジング３の挿通部６０の第２嵌合部６２と抜け止め部材４とに関連して、抜け止め機構Ｐ（図４Ｂを参照）と、緩み回転規制機構Ｑ（図５Ｂ及び図６Ｂを参照）と、締め込み過ぎ規制機構Ｒ（図６Ａを参照）と、位置決め機構Ｓ（図５Ａを参照）とを備える。
まず、抜け止め機構Ｐについて説明する。図４Ｂに示すように、抜け止め機構Ｐは、挿通部６０の第２嵌合部６２に嵌合された抜け止め部材４を用いて挿通部６０が取付壁２００の挿通孔２０３から抜脱方向Ｘ２側へ抜けないようにする機構である。抜け止め機構Ｐは、第２嵌合部６２に設けられた被係合部９０と、抜け止め部材４に設けられた係合部４３とを含む。
【００３２】
組立時において、抜け止め部材４を挿通部６０の第２嵌合部６２に嵌め合わせるときに、まず、図９Ａに示すように、挿通部６０の第２嵌合部６２のランス６４と抜け止め部材４の係合部４３とを周方向に位置合わせし、この位置合わせ状態で、図９Ｂに示すように、抜け止め部材４を挿通部６０に対して軸方向（抜脱方向Ｘ２側）に移動させる。このときの抜け止め部材４の周方向位置がアンロック位置（図５Ａ及び図１０Ａを参照）に相当する。アンロック位置では、抜け止め部材４の係合部４３の周方向Ｙの一方側Ｙ１に、係合部収容凹部１００が配置される。
【００３３】
抜け止め部材４をハウジング３の挿通部６０の第２嵌合部６２に嵌合させる組立時に、図５Ａに示すように、抜け止め部材４のスリット４５の周方向位置を、ハウジング３の第２嵌合部６２のランス６４の周方向位置に合わせることで、抜け止め部材４を第２嵌合部６２に対するアンロック位置（図９Ｂ及び図１０Ａを参照）に相当する組み付け初期位置に容易に位置合わせすることができる。
【００３４】
次いで、アンロック位置（図９Ｂ、図１０Ａを参照）にある抜け止め部材４を、図９Ｃ及び図１０Ｃに示すように、周方向Ｙの一方側Ｙ１であるロック位置側へ回転変位させる。この回転変位に伴って、図１０Ｂに示すように、係合部４３がランス６４の外面６４ｃを押圧することにより、ランス６４が径方向の内側に弾性変形される。次いで、図９Ｃ及び図１０Ｃに示すように、係合部４３が、ランス６４の先端部６４ｂを乗り越えて、係合部収容凹部１００に収容されると共に、係合部４３が被係合部９０の抜脱方向Ｘ２側に配置されるロック位置に回転変位される。
【００３５】
次いで、緩み回転規制機構Ｑについて説明する。
図６Ａに示すように、抜け止め部材４がロック位置に変位されると、図６Ｂ及び図１０Ｃに示すように、緩み回転規制機構Ｑによって、抜け止め部材４がロック位置からアンロック側に回転されることが規制される。具体的には、緩み回転規制機構Ｑは、ハウジング３のランス６４と、抜け止め部材４の係合部４３の周方向Ｙの他方側Ｙ２の端部に設けられたランス係止部４４とで構成される。
【００３６】
図６Ａ及び図１０Ｃに示すように、抜け止め部材４がロック位置へ変位すると、図６Ｂに示すように、ランス６４の先端部６４ｂが、弾性変形前の元の径方向位置に弾性復帰する。これにより、ランス６４の先端部６４ｂが、抜け止め部材４の係合部４３のランス係止部４４に対して、周方向Ｙのアンロック側（他方側Ｙ２）に配置される。このため、抜け止め部材４のランス係止部４４がランス６４の先端部６４ｂと当接することにより、ロック位置にある抜け止め部材４がアンロック側（Ｙ２側）へ回転されることが規制される。
【００３７】
次いで、締め込み過ぎ規制機構Ｒについて説明する。図６Ａに示すように、締め込み過ぎ規制機構Ｒは、抜け止め部材４がロック位置から周方向Ｙの一方側Ｙ１へ回転されることを規制する。
具体的には、締め込み過ぎ規制機構Ｒは、抜け止め部材４のフランジ部４２の内周面４２ａの一対の突起部４６の第１被規制部４６１と、ハウジング３の延設筒部６３の一対の第１壁部６３１の外面の平坦部Ｈ（第１規制部）とで構成されている。抜け止め部材４のロック位置（図１０Ｃを参照）で、図６Ａに示すように、抜け止め部材４の突起部４６の平坦な辺部からなる各第１被規制部４６１が、ハウジング３の延設筒部６３の対応する第１壁部６３１の平坦部Ｈ（第１規制部に相当）と近接対向される。このため、ロック位置にある抜け止め部材４が、周方向Ｙの一方側Ｙ１へ回転される締め込み過ぎが規制される。
【００３８】
次いで、位置決め機構Ｓについて説明する。図５Ａを参照して、位置決め機構Ｓは、抜け止め部材４の係合部４３が、ハウジング３のランス６４と少なくとも一部どうしが周方向に重なる状態（図９Ｂ及び図１０Ａのアンロック状態を参照）で、ランス６４と位置合わせされた抜け止め部材４が周方向Ｙの他方側Ｙ２へ回転されることを規制することにより、抜け止め部材４を周方向に位置決めする機構である。
【００３９】
具体的には、位置決め機構Ｓは、抜け止め部材４のフランジ部４２の内周面４２ａの直角三角形状の各突起部４６の頂部により構成される第２被規制部４６２と、ハウジング３の延設筒部６３の一対の第１壁部６３１の外面の平坦部Ｈ（第２規制部に相当）とで構成されている。
本実施形態によれば、下記の作用効果を奏することができる。すなわち、取付壁２００の挿通孔２０３に挿通されたハウジング３の挿通部６０に対して抜け止め部材４を周方向Ｙの一方側Ｙ１であるロック位置側へ回転させて、図４Ｂ及び図９Ｃに示すように、抜け止め部材４の係合部４３を挿通部６０の被係合部９０に係合させ、挿通部６０を抜け止めする。
【００４０】
図４Ａに示すように、取付壁２００が抜け止め部材４の本体部４１とハウジング３の対向壁部５０の凸部８０との間に挟まれる状態で、環状シール部材５が、取付壁２００の第１面２０１と対向壁部５０の対向面５１との間で弾性圧縮されて、第１面２０１と対向面５１との間を封止する。このため、防水コネクタ１において、単一の環状シール部材５を用いる簡単な構造で挿通孔２０３との間を封止することができる。
【００４１】
また、図２及び図４Ａに示すように、対向壁部５０の対向面５１から第１面２０１側へ突出する複数の凸部８０が、挿通部６０を取り囲む環状に配置されている。このため、環状シール部材５の圧縮量が、環状シール部材５の周方向位置によって偏りを生ずることを抑制することができる。
また、ロック位置で挿通部６０の抜け止めを達成した状態の抜け止め部材４がアンロック側（周方向Ｙの他方側Ｙ２）へ回転されることが、図６Ｂに示すように、ランス６４を含む緩み回転規制機構Ｑによって規制される。このため、防水性が確保された取付状態を確実に維持することができる。
【００４２】
また、緩み回転規制機構Ｑによってアンロック側への回転が規制された状態の抜け止め部材４がロック位置を超えて締め込まれ過ぎることが、図６Ａに示すように、締め込み過ぎ規制機構Ｒによって規制される。このため、防水性が確保された取付状態が、確実に維持される。
また、組立時において、抜け止め部材４の係合部４３がランス６４と周方向に重なる状態で、図５Ａに示すように、位置決め機構Ｓによって、抜け止め部材４が周方向Ｙの他方側Ｙ２へ回転されることが規制される。このため、組立時に、係合部４３とランス６４とを周方向Ｙに位置合わせし易くなり、組立性が向上する。
【００４３】
また、図５Ａ及び図６Ａに示すように、締め込み過ぎ規制機構Ｒの第１規制部と位置決め機構Ｓの第２規制部が、ハウジング３の挿通部６０の第１壁部６３１の共通の平坦部Ｈで形成され、また、締め込み過ぎ規制機構Ｒの第１被規制部４６１と位置決め機構Ｓの第２被規制部４６２が、抜け止め部材４の本体部４１から突出する共通の突起部４６に配置されている。このため、部材の兼用によって構造を簡素化することができる。
【００４４】
また、単一の環状シール部材５を用いる簡単な構造で取付壁２００の挿通孔２０３と防水コネクタ１との間を封止する防水コネクタ取付構造１０を実現することができる。
本発明は、前記実施形態に限定されるものではなく、例えば、抜け止め機構Ｐにおいて、抜け止め部材４にランス（図示せず）が設けられ、ハウジング３の挿通部６０にランス係止部（図示せず）が設けられてもよい。また、ハウジング３の対向壁部５０に設けられる凸部８０として、環状凸部（図示せず）が設けられてもよい。また、ハウジング３の被係合部が雄ねじ（図示せず）で構成され、抜け止め部材４の係合部が前記雄ねじに嵌合する雌ねじ（図示せず）で形成されてもよい。その他、本発明は、特許請求の範囲記載の範囲内で種々の変更を施すことができる。
【符号の説明】
【００４５】
１    防水コネクタ
２    コンタクト
３    ハウジング
４    抜け止め部材
５    環状シール部材
１０    防水コネクタ取付構造
４１    本体部
４１ｄ  内周面
４３    係合部
４４    ランス係止部
４６    突起部
５０    対向壁部
５１    対向面
６０    挿通部
６１    第１嵌合部
６２    第２嵌合部
６２ａ  外周面
６４    ランス
８０    凸部
９０    被係合部
１００  係合部収容凹部
２００  取付壁
２０１  第１面
２０２  第２面
２０３  挿通孔
３００  相手方コネクタ
４６１  第１被規制部
４６２  第２被規制部
６３１  第１壁部
Ｈ      平坦部（第１規制部。第２規制部）
Ｐ      抜け止め機構
Ｑ      緩み回転規制機構
Ｒ      締め込み過ぎ規制機構
Ｓ      位置決め機構
Ｘ１    コネクタ接続方向
Ｙ      周方向
Ｙ１    一方側
Ｙ２    他方側
【図１Ａ】
2019128985.tif 000003
【図１Ｂ】
2019128985.tif 000004
【図２】
2019128985.tif 000005
【図３】
2019128985.tif 000006
【図４Ａ】
2019128985.tif 000007
【図４Ｂ】
2019128985.tif 000008
【図５Ａ】
2019128985.tif 000009
【図５Ｂ】
2019128985.tif 000010
【図６Ａ】
2019128985.tif 000011
【図６Ｂ】
2019128985.tif 000012
【図７Ａ】
2019128985.tif 000013
【図７Ｂ】
2019128985.tif 000014
【図７Ｃ】
2019128985.tif 000015
【図７Ｄ】
2019128985.tif 000016
【図８Ａ】
2019128985.tif 000017
【図８Ｂ】
2019128985.tif 000018
【図８Ｃ】
2019128985.tif 000019
【図９Ａ】
2019128985.tif 000020
【図９Ｂ】
2019128985.tif 000021
【図９Ｃ】
2019128985.tif 000022
【図１０Ａ】
2019128985.tif 000023
【図１０Ｂ】
2019128985.tif 000024
【図１０Ｃ】
2019128985.tif 000025